Podtech/llm-jp-corpus-v4-ja_patent huggingface dataset:
(57)【要約】【課題】浄化水槽の防藻において、光触媒担持軽石を水槽内或いは水の循環系内の水中に浮遊させて紫外線を照射する方法では、十分な防藻効果が得られない。十分な防藻効果を提案することが本発明の課題である。【解決手段】本発明は、光触媒担持軽石を浄化水槽に浮遊させる水槽の防藻方法において、水槽の水面に光触媒担持体を軽石同志が互いに接触しているが積み重ならない状態に浮かべ、太陽光又は波長が４００ｎｍ以下の紫外線を照射することにより、光触媒の殺藻効果と水槽内への光を遮光することにより水槽を防藻できることを見出したものである。【特許請求の範囲】
【請求項１】
浄化水槽の水面に比重が０．７以下の軽石を浮遊させることを特徴とする水槽の防藻方法。
【請求項２】
請求項１記載の軽石が、天然または人工軽石及び、光触媒担持軽石であり、それぞれ単独或いはそれらを併用することを特長とする水槽の防藻方法。
【請求項３】
請求項２記載の光触媒担持軽石が酸化チタン担持軽石であることを特長とする水槽の防藻方法。
【発明の詳細な説明】
【０００１】
【発明の属する技術分野】
本発明は各種工業における浄化水槽の防藻方法に関する。
【０００２】
【従来の技術】
各種工業における冷却水系統では、増殖した藻類を殺藻するため、各種工業用抗菌剤や防黴剤が用いられている。しかし殺藻効果が小さく、高濃度の添加が必要となり経済的な問題がある。そのため複数の防藻剤、抗菌剤や防黴剤を併用する方法、塩素やオゾンなどで処理する方法や紫外線を照射する方法が多数提案されているが、その効果は十分ではない。光触媒を担持した無機多孔体を用いる方法としては、軽石などの無機多孔質粒子の表面及び無機多孔質粒子が有する空孔壁に光半導体粒子を付着して成る光触媒を用いる水の浄化方法が知られている（例えば、特許文献１）。また、水及び空気の浄化材料として火山生成物である軽石または岩さい表面に光触媒材料を固定する材料が提案されている（例えば、特許文献２）。しかし何れの方法も藻類、を減少させることはできるがその防藻効果は十分ではない。また光触媒を無機担体に担持させる方法も知られている（例えば、特許文献３）。
【０００３】
【特許文献１】特開平７−１４８４３４
【特許文献２】特開平１１−１９６４２
【特許文献３】特開平１１−２２９１５２
【発明が解決しようとする課題】
【０００４】
浄化水槽の防藻において、光触媒担持軽石を水槽内或いは水の循環系内に浮遊させて紫外線を照射する方法は、ある程度藻類の殺藻効果を認めるが、効能が弱いため目的とする防藻効果は得られない。そのため殆ど実用化されていない。また、軽石は見掛け比重（以下比重と略す）が１以下の多孔質海綿状無機物で水に浮遊するものであり、その種類は天然物、人工物或いは発砲ガラスなどがありその大きさ、形状はさまざまである。そのため同じ光触媒担持軽石でも沈まないが水中に浮遊するようなものは、角型クーリングタワー散水槽のように水槽底面に多数の穴があり、その穴から散水するような水槽の場合、軽石が穴を塞ぐため使用できない。
【０００５】
【課題を解決するための手段】
本発明者らは、鋭意研究の結果、光触媒担持軽石を水槽内に浮遊させる水槽の防藻方法において、水槽の水面、好ましくはその全面に光触媒担持体同志が互いに接触しているが積み重ならない状態に浮かべることにより、水槽を防藻できることを見出したものである。
【０００６】
本発明の光触媒担持軽石の基体である軽石は、光触媒を担持させる場合の温度、すなわち３００℃から５５０℃に耐え、比重が０．７以下好ましくは０．４５から０．６５の材料であれば材質、形状、大きさに特に制限はない。本発明でいう軽石の比重とは、使用前の乾燥した状態及び水に浮かべて吸水した状態のいずれも含むものである。なお本発明において最大の防藻効果を得るには、光触媒担持軽石全面が丁度水面に浸る程度の比重が最も望ましく、また大きさとしても特に制限は無いが、平均径が１ｍｍ〜５０ｍｍ程度のものが好ましい。
【０００７】
本発明では太陽光の照射する水槽の水面全体の約５０％に光触媒担持軽石を浮かべることにより、防藻効果を認めるが、好ましくは水面全面に光触媒担持軽石を、軽石同志が互いに接触しているが積み重ならない状態に浮かべることにより、効果的に防藻できる。また軽石のみを光触媒担持軽石と同様に水面に浮かべ、水槽内への光を遮光することにより、ある程度防藻効果は得られるが、光触媒担持軽石を用いることにより、より効果的に防藻できる。また本発明では光触媒担持軽石のみを用いることが好ましいが、単体の軽石を混合して用いることも可能であり、さらに大きさの異なる光触媒担持軽石同志或いは軽石単体を混合して用いることも可能である。
【０００８】
水槽の水の循環系に処理槽を設置する場合は、処理槽の水面全面に光触媒担持軽石を、軽石同志が互いに接触しているが積み重ならない状態で浮かべ、太陽光或いは波長が４００ｎｍ以下のブラックライトを照射することが好ましく、その場合、照射する紫外線照射量が多いほどより好ましい。
【０００９】
また、本発明は水槽の壁面付近のみ光触媒担持軽石を用い、壁面以外の水槽中央は光の遮光のみを目的とし、軽石単体或いは他の水面に浮遊する遮光体例えば発砲スチロールなど用いる防藻方法も含む。また、毒性の低い有機窒素・イオウ系化合物、有機ハロゲン系化合物、有機イオウ系化合物等の防藻剤、防黴剤、抗菌剤等の併用、或いは塩素やオゾンなどで処理する方法を併用することも望ましい。
【００１０】
【発明の実施の形態】
【実施例１】
比重０．４〜０．５、平均粒径１５〜３０ｍｍのＳｉＯ２を主体とした人工軽石（品川窯材（株）製）表面に光触媒酸化チタンＳＴ−０１（石原産業（株）製））を特開平１１−２２９１５２の方法で担持させた光触媒担持軽石を、太陽光が照射する大型の角型クーリングタワーの上部散水槽（９００ｍｍ四角）に軽石同志が互いに接触しているが積み重ならない状態に浮かべ、平成１４年９月〜１２月まで試験した。
用いた光触媒担持軽石などの試験条件及び試験結果、並びに比較例は表ー１のとおりである。
【表―１】
2004249148.tif 000002
（評価方法）  ：目視による。
（評価基準）
−  ：  藻の発生を認めない。もしくは藻の活性が無い。
△  ：  活性のある藻を少し認める。
＋  ：  多量活性のある藻をみとめる。
(57)【要約】【目的】この発明は、枕の上に頭を載せるだけで頭部の重量により、枕の頭部に接する部分が頭の先の方向へ移動して、頭部を牽引する力の作用が発生し、指圧効果を高めながら首を牽引することができ、頭脳労働による眼精疲労の回復や首の矯正に効果を有する枕に関するものである。【構成】頭を枕の上に載せると、頭と首の境界部分がクッション材４を押さえるようになる。そうすると、その重量により心棒３が金具２の折り曲がった点を中心にして若干回転し、頭と首の境界部分を牽引する作用を生じる。それにより、首全体が牽引され、首の矯正に効果がある。また、頭と首の境界部分は指圧効果が高く、この部分に牽引圧力が加わることにより、優れた指圧効果を生じ、頭部や目の疲れ等に効果が高い。この首の矯正と指圧効果が相乗的に作用して、頭脳労働による疲労や高齢化による首の痛みや手先の痺れ等に効果が高い。【選択図】  図１
2004249023.tif 000002
【特許請求の範囲】
【請求項１】
枕にかかる頭部の重量により、枕の頭部に接する部分が移動して首部を牽引する作用を有する枕。
【請求項２】
枕にかかる頭部の重量により、枕の頭部に接する部分のクッション材を支持する留め具が立ち上がり部分を中心にして回転することにより、枕全体が首部を牽引する作用を有する枕。
【発明の詳細な説明】
【０００１】
【産業上の利用分野】
この発明は、枕の上に頭を載せるだけで頭部の重量により、枕の頭部に接する部分が頭の先の方向へ移動して、頭部を牽引する力の作用が発生し、指圧効果を高めながら首を牽引することができ、頭脳労働による眼精疲労の回復や首の矯正に効果を有する枕に関するものである。
【０００２】
【従来の技術】
特許庁の電子図書館の特許・実用新案において「枕」と「牽引」をキーワードにして検索を行った結果、１４件が一覧表示されたが、この中で本発明と関係が近いものは、特願平０７−２９１９８３及び特願２０００−２７７８９３であった。特願平０７−２９１９８３は、頭にベルトを巻き付けてそのベルトを重りをつけた紐で牽引するものがあり、特願２０００−２７７８９３は、枕の弾力性を利用してスリットの入れ方で頭部と首部に反対方向に圧力が加わるようにしたものが考案されている。
頭にベルトを巻き付けたものはいかにも牽引装置であり、簡単ではあるが普段の生活には馴染みにくい。一方、枕の弾力部にスリットを入れて頭部と首部を反対方向に圧力を加えるものは、頭部と首の境目を伸ばす効果はあるが首全体の牽引はできない。また、頭や首を最初においた位置から頭部や首部の重量によって枕の弾力があるため縮んでおり、牽引の効果はあまり期待できない。
【０００３】
【発明が解決しようとする課題】
このような状況であるため、自然な感じで首の牽引ができ、枕を使用しているだけで首の痛みが直り、また頭脳労働に対して効果的な回復ができ、さらに健康的にも優れた枕が強く要望されてきていたが、なかなかそのような条件を満足する枕が開発されていない。
【０００４】
【課題を解決するための手段】
いま、その構成を図１により説明すると、
（イ）枕の台１に金具２を取り付け、この金具２に枕の心棒３が直角よりやや鋭角に取り付けられている。心棒３にはクッション材４が巻かれている。さらに頭部を支持するためにもう一つのクッション材５が設置されている。さらにこれらをカバー６で覆う。
以上のように装置する。
【０００５】
【課題を解決するための手段】
次に本発明の作用を述べる。
頭を枕の上に載せると、頭と首の境界部分がクッション材４を押さえるようになる。そうすると、その重量により心棒３が金具２の折り曲がった点を中心にして若干回転し、頭と首の境界部分を牽引する作用を生じる。それにより、首全体が牽引され、首の矯正に効果がある。
また、頭と首の境界部分は指圧効果が高く、この部分に牽引圧力が加わることにより、優れた指圧効果を生じ、頭部や目の疲れ等に効果が高い。
この首の矯正と指圧効果が相乗的に作用して、頭脳労働による疲労や高齢化による首の痛みや手先の痺れ等に効果が高い。
【０００６】
【実験例】
実験を行ってみると、頭や首はデリケートな部分であり、また枕は夜間長時間にわたって使用するものであるから、あまり強い牽引は良くなく、クッション材４は多めにして、頭の重量による枕の変位も少し（数ｍｍ程度）あればよい。
このようにすると、枕に頭を乗せただけで首筋が伸びた感じになり、朝起きたときは首の凝りが嘘のように無くなっている。
【０００７】
【発明の効果】
近年はコンピュータ等の発達により、頭脳労働が多くなってきており、また目を酷使する機会も多い。このようなときには肩の凝りや目の疲れ、あるいは頭脳の疲労等がなかなか解消しにくいものである。そのような場合、この牽引枕を用いて睡眠をとれば、眠っている間に首筋の矯正と指圧を行い、自然と快適な快復が図られる。
また、高齢化社会の到来により、手先のしびれ等の障害を有する人が多くなってきてるが、これらの人もこの牽引枕を用いることにより、首筋の矯正が図られ障害の快復が図られることが期待される。また、痴呆や精神障害に対しても首筋の矯正を図ることにより、脳に対する血行及び神経を良くし改善が図られることが期待される。これは、人が悩んだり不安定な精神状態にある場合は、首筋が萎縮した状態が多く、また逆に首筋が伸びた状態では不安定な考えはできないことからも頷ける。
首は脳に対する神経と血液の流れの重要な経路であり、この部分の指圧効果と矯正は寿命にさえ影響をあたえる極めて重要な作用である。昔から盆の窪（首の後部の窪んだところ）の指圧は長寿の秘訣と言われている。
高齢化社会で人の世話にならず健康で長生きできることはそれだけで社会に大きな貢献をすることになる。
この枕の果たす役割は非常に大きなものと考えている。
【図面の簡単な説明】
【図１】クッション材に心棒を通した場合の牽引枕
【図２】板材にクッション材を張り付けた牽引枕
【符号の説明】
１は台
２は金具
３は心棒
４はクッション材
５はクッション材
６はカバー
７は板材
【図１】
2004249023.tif 000003
【図２】
2004249023.tif 000004
(57)【要約】【課題】器具に触らないで連続切断が出来るペーパーホルダーであり、ミシン目切断も簡単に出来、また、使用者の利き手にも配慮されたペーパーホルダーを提供する。【解決手段】切断刃（Ｂ）とローラー（Ａ）とつまみ部（Ｃ）で構成された切断具（３）を、保持具（１）の内側側面に設けた溝（２）を、密着下降させることによって、スムーズにペーパー切断が出来る。また、水平回転軸（５）が設けられているので、使用者の正面に角度を向けることが出来る。【選択図】図２
2004249030.tif 000002
【特許請求の範囲】
【請求項１】
ペーパー芯を保持する軸受部（１）の内側側面に、垂直もしくは、適度な角度に溝（２）を設け、この溝（２）に上昇下降自在な切断具（３）とペーパー先端の反り止め具（４）をセットしたペーパーホルダー。
【請求項２】
切断具（３）のペーパーロール側にローラー（Ａ）を取り付け、切断刃（Ｂ）とローラー（Ａ）の間に、ペーパーをつまむ為のあたりとなる部（Ｃ）を形成し、切断刃（Ｂ）の中央部にペーパーに加工されたミシン目を拾うための板（Ｄ）を形成した切断具（３）。
【請求項３】
ペーパー保持のための軸受部（１）を水平回転させる為の軸（５）を設けたペーパーホルダー。
【発明の詳細な説明】
【０００１】
【発明の属する技術分野】
この発明は、ペーパーの切断方法と、ホルダーの取り付け位置に考慮したトイレットペーパーホルダーに関するものである。
【０００２】
【従来の技術】
従来のものは、ペーパーカバーの先端で、ペーパーを切断するか、ロールペーパーの手前上部に垂らされた切断刃で切断するものが大半である。また、ペーパー保持部は取り付け面に対しすべて平行である。
【０００３】
【発明が解決しようとする課題】
（イ）従来のものは、カバーを手で押さえ切断しなければならず、器具に触れざるを得ない欠点があった。カバーにバネを内蔵したものがあるが、ペーパーの残量が減るに従いその効力も不十分なものとなり欠点を解消したとは言えない。
（ロ）透明カバーでペーパーに加工されたミシン目をチェックできるとうたう物も、ミシン目切断はちょっとしたテクニックを要するものである。
（ハ）また、壁面に平行にしか取り付けできないため、使用者の利き手に配慮する事が出来なかった。本発明は、以上のような問題点を解決するためになされた物である。
【０００４】
【課題を解決するための手段】
上記目的達成のために、ペーパーと密着移動する切断具と、ペーパー先端の反り止め具と、ロール新保持部の中心で水平回転する軸を設けたトイレットペーパーホルダーである。
【０００５】
【発明の実施の形態】
発明の実地の形態について図面について説明する。
ペーパー新を保持する軸受部（１）の内側側面に、垂直もしくは、適度な角度に溝（２）を設け、その溝を自在に上下する切断具とペーパー端部の反り止め具（４）を設ける。また、ペーパー端部の反り止め具（４）は、図（２Ａ）のように、カバーの形状にしてもよい。
【０００６】
この切断具（３）はロールペーパー側にはローラー（Ａ）を設け、その切断刃（Ｂ）とローラー（Ａ）の間に、ペーパーをつかむ為のあたりとなる部（Ｃ）を設ける。またミシン目を拾うための板（Ｄ）を刃の中央部に設ける。
【０００７】
また、ペーパー芯を保持する軸受部（１）を水平回転させるための軸（５）を設ける。さて、使用者の正面に位置するように固定されたホルダーに、下方向から上に向かって、ロールペーパーの先端がロールの下部から手前に引き出される状態で、装てんし、切断具（３）とペーパー端部の反り止め具の間から手前に引き出すとペーパーのセットは完了である。
ミシン目切断の場合は、ミシン目拾い板（Ｄ）を手前に倒せばよい。
【０００８】
【本発明の効果】
本発明の効果は、以下のとおりである。
つまみ部（Ｃ）をペーパー越につまむので器具に直接触れずに切断が出来る。
また、ペーパーの切断端外に出た状態で切断できるので、連続切断が出来るので、衛生的である。ミシン目切断をする場合は、ミシン目拾い板（Ｄ）を切断刃（Ｂ）に重なるように手前に倒しておけばよい。目で確認しなくてもよいので便利である。また、軸（５）を調整し、使用者の正面にしておけば、使用者の利き手による不公平も解消できる。
【図面の簡単な説明】
【図１】本発明の要部斜視図である。
【図２】本発明の要部断面図である。
【図３】本発明のミシン目拾い板の水平図、及び斜視図である。
【図４】水平回転させるための軸の説明図である。
【符号の説明】
１、ロールペーパー芯を保持する軸受け部
２、切断具をセットするためのみぞ
３、ペーパー切断具
４、ペーパー先端の反り止め具
５、水平回転させるための軸
Ａ、ローラー部
Ｂ、切断刃
Ｃ、ペーパーつまみのあたりとなる部
Ｄ、ミシン目拾い板
【図１】
2004249030.tif 000003
【図２】
2004249030.tif 000004
【図３】
2004249030.tif 000005
【図４】
2004249030.tif 000006
(57)【要約】【課  題】従来の筆記用具を入れた物入れとメモ帳を一体にしたものや付箋紙と筆記具自体を一体にしたものでは、ポケットに入れるには大きすぎたり、筆記具が限定されかつペン先でポケットの底が汚れたりするので、常時ポケットに入れて即座に筆記できる状態で携帯するには不便であった。【解決手段】多種類かつ複数の筆記具をポケット中部の滑り止めベルトとポケット底のペン立とで保持し、中央折り返し式の同一基板上に名札やバッジのピン受け布、名刺等の各種カードを収納する袋、メモ紙、付箋紙を付けて構成した。これにより、芯やペン先を出したままでもポケットの底を汚さず、筆記具を即座に取り出すことができる。携帯中に体の傾斜や衝撃があっても筆記具がペン立から飛び出さず、ペン立自体もポケットから飛び出さない。ペン立の基板を見開き状態で保持できるため書き込みや名刺等の各種カードの取り出しが容易である。【選択図】図１
2004249024.tif 000002
【特許請求の範囲】
【請求項１】
芯やペン先を出したまま多種類かつ複数の筆記具を収納してワイシャツや上着のポケットに入れて携帯する付箋紙付懐中ペン立。
【請求項２】
携帯中に筆記具が飛び出すことを防止するための伸縮性を有する滑り止めベルト、名札やバッジのピン受け布、名刺等の各種カードの収納袋、メモ紙、付箋紙を付けた請求項１記載の付箋紙付懐中ペン立。
【発明の詳細な説明】
【０００１】
【発明の属する技術分野】
本発明は、多様な筆記具を常時携帯して即座に筆記可能とすることを図った付箋紙付懐中ペン立に関する。
【０００２】
【従来の技術】
従来の物入れには筆記具をすぐ取り出して使えるように、筆記用具を入れた物入れをノート、手帳、メモ帳と一体にしたものがある（例えば、特許文献１参照。）。
また、従来の筆記具付き付箋紙ホルダーには、かさばらずに持ち歩くために付箋紙と筆記具自体を一体にしたものがある（例えば、非特許文献１参照。）。
【０００３】
【特許文献１】
特開２０００−３４２３２１（２０００−３４２３２１Ａ）
【非特許文献１】
実開平５−３１９９４
【０００４】
【発明が解決しようとする課題】
以上に述べた従来の筆記用具を入れた物入れとメモ帳を一体にしたものや付箋紙と筆記具自体を一体にしたものでは、ポケットに入れるには大きすぎたり、筆記具が限定されかつペン先でポケットの底が汚れたりするので、常時ポケットに入れて携帯するには不便であった。
【０００５】
本発明は、このような従来の構成が有していた問題を解決しようとするものであり、常時ポケットに入れて携帯し、これだけで即座に筆記できるペン立を実現することを目的とするものである。
【０００６】
【課題を解決するための手段】
そして、本発明は上記目的を達成するために多種類かつ複数の筆記具をポケット中部の滑り止めベルトとポケット底のペン立とで保持し、中央折り返し式の同一基板上に名札やバッジのピン受け布、名刺等の各種カードを収納する袋、メモ紙、付箋紙を付けたものである。
【０００７】
上記の課題解決手段による作用は次のとおりである。ポケット底のペン立により、芯やペン先を下に出したまま筆記具をポケットに収納してもポケットの底が汚れない。滑り止めベルトにより、携帯中の体の傾斜や衝撃があっても筆記具がペン立から飛び出さない。
【０００８】
ワイシャツや上着のポケットの布地を、名札やバッジのピン受け布と基板が挟むことによりペン立自体がポケットから飛び出すことを防ぐ。メモ紙、付箋紙を中央折り返し式の基板の上で見開き状態で保持するため書き込みや名刺等の各種カードの取り出しが容易にできる。
【０００９】
【発明の実施の形態】
以下、本発明の実施の形態を図１〜図３に基づいて説明する。
【００１０】
図においては、中央折り返し式の基板１に付けたペン立２と伸縮性を有する滑り止めベルト３により多種類かつ複数の筆記具を挟んで保持する。
【００１１】
ワイシャツや上着のポケットの布地を外側に出る名札やバッジのピン受け布４とポケット中の中央折り返し式の基板１で挟む。
【００１２】
中央折り返し式の基板１にメモ紙５、付箋紙６、名刺等の各種カードを収納する袋７を見開き状態の内側に取り付けている。
【００１３】
【発明の効果】
上述したように本発明のペン立は、多種類かつ複数の筆記具を収納し、メモ紙、付箋紙と共に常時ポケットに入れて携帯し、即座に筆記できる。さらに、名刺等の各種カードを収納する袋、名札やバッジのピン受け布を付けることで実用性を高めている。
【００１４】
【図面の簡単な説明】
【図１】本発明の実施形態を示す後方から見たペン立側の外観図
【図２】同ペン立の前方から見たピン受け布側の外観図
【図３】同ペン立の中央折り返し式の基板を開いた外観図
【符号の説明】
１  中央折り返し式の基板
２  ペン立
３  伸縮性を有する滑り止めベルト
４  名札やバッジのピン受け布
５  メモ紙
６  付箋紙
７  名刺等の各種カードを収納する袋
【図１】
2004249024.tif 000003
【図２】
2004249024.tif 000004
【図３】
2004249024.tif 000005
(57)【要約】【課題】携帯情報端末を片手で持っている状態では、もう一方の片手だけではペンを出したり仕舞ったりすることが難しく落としてしまうことがあり不便であった。【解決手段】ペン付ストラップは、一端は携帯情報端末に取付紐を使ってペンのキャップに繋がれており、他端はキャップに設けられた穴を貫通するように伸ばされてペンに繋がれており、ストラップのループ状の部分には引き戻し用のつまみがある。ペン７の使用時はペン７をキャップ４から引き出すことによって、穴５を通してストラップ１が引き出され、ペン７を使用するために十分な長さになる。ペン７を使用しない時は、つまみ９を引くことによってストラップ１がループ状に戻ると同時に、ペン７の先端部８が穴５に格納されキャップ４で保護されると共に、ストラップ１のループ状の部分が保持される。ペン付ストラップは携帯情報端末に限らず、カードホルダーや手帳などに装着しても同じ効果が得られる。【選択図】  図１
2004249050.tif 000002
【特許請求の範囲】
【請求項１】
（１）携帯情報端末などに取り付けられるペン付ストラップで、一端は携帯情報端末に取付紐を使ってペンのキャップに繋がれており、他端はキャップに設けられた穴を貫通するように伸ばされてペン側の取付紐を使ってペンに繋がれており、ストラップのループ状の部分には引き戻し用のつまみがあり、引き戻し用のつまみを引くことでペンの先端がキャップに格納でき、またペンをキャップから引き出すことでストラップを引き延ばして使えることを特徴とするペン付ストラップ。
【発明の詳細な説明】
【０００１】
【発明の属する技術分野】本考案は、携帯情報端末、例えばＰＤＡや携帯電話などに取り付けられるペン付ストラップ関する。
【０００２】
【従来の技術】ペンはＰＤＡや携帯電話などの携帯情報端末とは別々に携帯される例が多い。
【０００３】
【発明が解決しようとする課題】ＰＤＡや携帯電話などの携帯情報端末を片手で持っている状態では、もう一方の片手だけではペンを出したり仕舞ったりすることが難しく使用中に誤って落としてしまうことがあり不便であった。従来どうりのループ状に固定されたストラップにペンを取り付けることでペンの落下や紛失を防止することは可能であるが、ループ状に固定されたストラップのままではペンを使用するのに長さが短く不都合であった。
【０００４】
本考案は、上記の事情を考慮してなされたものであり、ペンをストラップに繋ぎ、かつストラップを引き伸ばして使えるようにすることでストラップをペンの落下また紛失防止用として利用しながら、片手だけでペンを出したり仕舞ったりすることができるペン付ストラップを提供することを目的とする。
【０００５】
【課題を解決するための手段】上記課題を解決するため、本発明に係るペン付ストラップは、一端は携帯情報端末に取付紐を使ってペンのキャップに繋がれており、他端はキャップに設けられた穴を貫通するように伸ばされてペン側の取付紐を使ってペンに繋がれており、ストラップのループ状の部分には引き戻し用のつまみがあり、引き戻し用のつまみを引くことでペンの先端がキャップに格納でき、またペンをキャップから引き出すことでストラップを引き延ばして使えることを特徴とする。
【０００６】
【発明の実施の形態】以下、図面を参照して本発明の実施形態について説明する。図１は携帯情報端末に装着されたペン付ストラップを示す。
【０００７】
ストラップ１の一端は、携帯情報端末２に取付紐３でキャップ４で繋がれている。ストラップ１のもう一端は、キャップ４に設けられた穴５を貫通してペン側の取付紐６を使ってペン７に繋がれている。ストラップ１にはストラップ１が貫通するように取りつけられた引き戻し用のつまみ９が設置されている。ペン７の先端部８は、つまみ９を引くことでペン７がキャップ４に引き寄せられた場合キャップ４に設けられた穴５に格納される大きさにある。
【０００８】
【発明の効果】この構成によれば、ペン７の使用時はペン７をキャップ４から引き出すことによって、ストラップ１のループ状の部分が小さくなりながらキャップ４の穴５を通してストラップ１が引き出され、ペン７を使用するために十分な長さのストラップ１を引き出だすことが出来る。
【０００９】
ペン７を使用しない時は、つまみ９を引くことによってストラップ１が元のループ状に戻ると同時にペン７がキャップ４に引き寄せられる。このときペン７の先端部８はキャップ４に近づき、キャップ４に設けられた穴５に格納され、ペン７の先端部８がキャップ４で保護されると共に、ストラップ１のループ状の部分が保持される。
【００１０】
本発明に係るペン付ストラップは携帯情報端末２に限らず、他のカードホルダーや手帳などに装着しても同じ効果が得られる。またペン７を印鑑や鍵に換えて本発明に係るペン付ストラップを応用することができる。
【００１１】
【図面の簡単な説明】
【図１】本発明のペン付ストラップを示した斜視図である。
【符号の説明】
１  ストラップ
２  携帯情報端末
３  取付紐
４  キャップ
５  穴
６  ペン側の取付紐
７  ペン
８  つまみ
【図１】
2004249050.tif 000003
(57)【要約】【課題】切断後の爪切りかすの飛散を防止する爪切りを提供する。【解決手段】上刃（１）と下刃（２）の裏面に、切断直前から切断後の爪切りかすを挟んで固定する上刃側軟質材（３）と下刃側軟質材（４）を設けた爪切り。【選択図】      図１
2004249045.tif 000002
【特許請求の範囲】
【請求項１】
上刃（１）と下刃（２）の裏面に、切断直前から切断後の爪切りかすを挟んで固定する上刃側軟質材（３）と下刃側軟質材（４）を設けた爪切り。
【発明の詳細な説明】
【０００１】
【発明の属する技術分野】
この発明は、切断後の爪切りかすの飛散を防止する爪切りに関するものである。
【０００２】
【従来の技術】
従来より、本体両側面を覆うケースを装着した爪切りがあった。
【０００３】
【発明が解決しようとする課題】
これには次のような欠点があった。
（イ）極端に湾曲した爪を切る場合、爪切りの側面刃物端部を使用すると切りやすいが、ケースが爪に干渉する。
（ロ）側面刃物端部とケースには若干の隙間が存在し、完全に爪切りかすの飛散を防止することはできない。
（ハ）ケース内に爪切りかすが満杯になると、爪切り本体よりケースを取り外し、中の爪切りかすを取り出さなければならない。
本発明は、これらの欠点を除くためになされたものである。
【０００４】
【課題を解決するための手段】
爪切りの上刃（１）と下刃（２）の裏面に、爪の切断直前から切断後の爪切りかすを挟んで固定するゴム等の上刃側軟質材（３）と下刃側軟質材（４）を接着して設ける。
本発明は、以上のような構成よりなる爪切りである。
【０００５】
【発明の実施の形態】
以下、本発明の実施例について説明する。
（イ）爪切りの上刃（１）と下刃（２）の裏面に、それぞれ爪の切断直前から切断後の爪切りかすを挟んで固定するゴム等の上刃側軟質材（３）と下刃側軟質材（４）を接着して設ける。
（ロ）上刃側軟質材（３）と下刃側軟質材（４）の間には、爪切りの爪切断状態時、すなわち上刃（１）と下刃（２）が密着したときに爪厚さより若干狭い隙間を設ける。
（ハ）上刃側軟質材（３）は上刃（１）の奥に、および下刃側軟質材（４）は下刃（２）の裏面に全面にわたり接着する。
本発明は以上のような構造で、これを使用するときは、爪を上刃（１）と下刃（２）の間に挿入し、上刃（１）と下刃（２）を密着させる。
その際、爪の切断直前から上刃側軟質材（３）と下刃側軟質材（４）が切断される爪を挟んで固定し、切断後の爪切りかすをも保持し、飛散しない。上刃（１）と下刃（２）を離すことにより上刃側軟質材（３）と下刃側軟質材（４）も爪切りかすの保持をやめ、爪切りかすは脱落する。
【０００６】
【発明の効果】
本発明を使用することによって、確実に爪切りかすの飛散を防止することができる。
【図面の簡単な説明】
【図１】本発明の部分拡大側面図
【図２】本発明の爪切断状態時を示す部分拡大側面図
【符号の説明】
１      上刃
２      下刃
３      上刃側軟質材
４      下刃側軟質材
５      爪
６      指
【図１】
2004249045.tif 000003
【図２】
2004249045.tif 000004
(57)【要約】【課題】乳幼児期が食事をする際、最初に使用するのはスプーン或いはフォークであるが、現時点では、乳幼児が正しく持つためのスプーン或いはフォークが市販されていない。現状あるスプーンやフォークでは乳幼児の不器用な手で正しく持つことはおろか、しっかりと持つことさえ難しい。【解決手段】本発明では、子供用のスプーン或いはフォークにおいて、持ち部分１の途中を山状にふくらませ、その膨らんでいる部分に、親指と人差し指が丁度あたるように内突弧状に窪ませ、握り部分下部に中指が当たるよう内突弧状に窪ませたものである。このスプーン或いはフォークを使用すると、箸や鉛筆を持つときのような正しい持ち方が容易に出来るため、子供特に幼児が短期間に正しい持ち方を覚えることができ、箸を持つ練習となる。【選択図】  図１
2004249042.tif 000002
【特許請求の範囲】
【請求項１】
子供用スプーン或いはフォークの握り部分を、親指、人差し指、中指がしっかりとあたりスムースに持てるよう、握り部分に工夫をし、その三点を内突弧状に窪ませ、滑りにくくする事を特徴とする。
【発明の詳細な説明】
【０００１】
【考案の属する技術分野】
本発明は、乳幼児のスプーンやフォークの持つ部分の改良に関するものである。
【０００２】
【従来の技術】
乳幼児は、食事時にまずスプーンあるいはフォークを使うが、その握り部分の形状のほとんどが平たく真っ直ぐ、あるいは細くなってはいるが、子供が上手に持つには不十分な形状であるので正しい持ち方が困難である。
【０００３】
【本発明が解決しようとする課題】
幼児は従来品使用時、いくら親が正しく３点で持つようにと指導しても、手のひら全体で握るような変な持ち方をしてしまう場合が多い。従来品ではただ握り部分を細くしていたりするだけなので、子供の不器用な指では正しく持たせるのは難しい。  そこで、本発明では、持ち部分の形状に工夫を凝らして正しい持ち方をさせやすくするとともに、持った時に滑りにくくなるように工夫したものである。
【０００４】
【課題を解決するための手段】
上記目的を達成するために、本発明では、子供用のスプーン或いはフォークにおいて、持ち部分１の途中を山状にふくらませ、その膨らんでいる部分に、親指と人差し指が丁度あたるように内突弧状に窪ませ、握り部分下部に中指が当たるよう内突弧状に窪ませたものである。このスプーン或いはフォークを使用すると、箸や鉛筆を持つときのような正しい持ち方が容易に出来るため、子供特に幼児が短期間に正しい持ち方を覚えることができ、箸を持つ練習となる。
【０００５】
内突弧状に窪んでいる部分の表面は、滑りにくいように凹凸を施す。或いは材質を軟質合成樹脂やゴムなどを使用し、滑り止めを設けられていることが望ましい。このように、すべり止めが少なくとも内突弧状に窪んでいる部分の表面に設けられている。本発明のスプーン或いはフォークを使用し、正しい持ち方をした場合において手指が滑りにくい。
【０００６】
【本発明の実施の形態】
本発明の好ましい実施の形態を、図１〜図３に基いて詳細に説明する。
図１及び図３に示すように、子供用のスプーン或いはフォークの握り部分の途中を山状に膨らませ、親指、人差し指、そして握り下部分の中指の３点があたる部分を内突弧状に窪ませてある。
このように、スプーンとフォークの握り部分を工夫すると例えば、鉛筆や箸を持つ場合と同様の正しい持ち方がしやすいため、子供特に幼児に短期間に正しい持ち方を覚えさせることができる。
【０００７】
そして、内突弧状に窪んでいる部分の表面は滑り止めが施される必要がある。窪んでいる部分に凹凸をつけるか、合成樹脂やゴム等からなるすべり止め部材（図１〜図３において、細かい点々で表わしてある）が設けられている。
【０００８】
【発明の効果】
請求項１記載の握り柄は、握り部分の途中を山状に膨らませ、親指、人差し指部分を、内突弧状に窪ませてあり、握り下部分の中指部分を内突弧状に窪ませてある。スプーン或いはフォークを持つのに重要なこの３点があたる部分を内突弧状に窪ませてあるので、正しい持ち方がしやすくなる。また窪み部分に滑り止めを施しているため滑りにくくなっている。したがって、この握り柄をスプーン或いはフォークの握り柄とした場合には、子供特に幼児に短期間に正しい持ち方を覚えさせることができ箸への以降もスムースにいくと思われるため、きわめて有用である。現に乳幼児の通う保育園等でも、「お姉さん持ち」といって、３点で持つことを常に意識し、箸への移行がスムースに行くよう子供達或いは親に働きかけているが、現在あるスプーン等では難しいため、本発明は全ての乳幼児の発達過程に重要な役割を持つ。
【図面の簡単な説明】
【図１】スプーンを右斜めから見たものである
【図２】スプーンを右横から見たものである
【図３】スプーンを左横から見たものである
【符号の説明】
１．握り部分を山状に膨らませたもの
２．親指があたる部分が内突弧状になっている
３．人指し指があたる部分が内突弧状になっている
４．中指があたる部分が内突弧状になっている
【図１】
2004249042.tif 000003
【図２】
2004249042.tif 000004
【図３】
2004249042.tif 000005
(57)【要約】【課題】浴室の天井や高い壁、壁面の継ぎ目の狭い幅の場所の水滴を取るために水滴受けヘッドに幅広水切りヘッドと左右に移動できる移動式幅狭水切りヘッドを設け、中空の伸縮ポールの中に排水ホースを通して下端に重しを兼ねたペットボトル用キャップに空気孔を開けて排水し、また水滴を集めるペットボトルを取り付け可能な浴室天井用伸縮水滴取り器を提供する。【解決の手段】水滴受けヘッド（３）に幅広水切りヘラ（１）と移動式幅狭水切りヘラ（２）を設け、水滴受けヘッド（３）の中央より中空の伸縮自在な伸縮ポール（４）の中を通して排水ホース（７）の下端に空気孔付きペットボトル用キャップ（８）を取り付けた浴室天井用伸縮水滴取り器。【選択図】    図１
2004249044.tif 000002
【特許請求の範囲】
【請求項１】
水滴受けヘッド（３）に幅広水切りヘラ（１）と移動式幅狭水切りヘラ（２）を設け、水滴受けヘッド（３）の中央に排水ホース（７）を設け中空の伸縮ポール（４）の中を通して排水ホース（７）の先端に重しを兼ねた空気孔付きペットボトル用キャップ（８）を取り付けた浴室天井用伸縮水滴取り器。
【発明の詳細な説明】
【０００１】
【発明の属する技術分野】
この発明は、浴室の天井、壁の水滴を取り自動的に排水ホースを通して水を排水口に流したり、ペットボトルに集めたり出来る浴室天井用伸縮水滴取り器に関するものである。
【０００２】
【従来の技術】
従来の水滴取り器は、手に持つ容量の小さいボトルのため水滴が溜まるとボトルから何回も水を捨てたり、天井や壁の高い場所では踏台が必要だった。
【０００３】
【発明が解決使用とする課題】
これには、つぎのような欠点があつた。
水滴取り器は小型ボトルのためにすぐに水が溜まり何度も水を捨てるため煩わしい作業であった。高い天井や壁には踏台が必要だった。
システムバスの壁の継ぎ目が狭い場所はヘラでは水滴が取れにくかった。
本発明は、以上のような欠点を無くすためになされたものである。
【０００４】
【課題を解決するための手段】
幅広水切りヘラ（１）と移動式幅狭水切りヘラ（２）を設けた水滴受けヘッド（３）の中央に排水ホース（７）を設け、中空の伸縮自在の伸縮ポール（４）の中に排水ホース（７）を通し排水ホース（７）の先端に重しを兼ねた空気孔の開いたペットボトル用キャップ（８）を取り付ける。
本発明は、以上の構成よりなる浴室天井用伸縮水滴取り器である。
【０００５】
【発明実施の形態】
以下、本発明の実施の形態について説明する。
水滴受けヘッド（３）の高い位置の方に幅広水切りヘラ（１）を差し込み、低い位置の方に移動式幅狭水切りヘラ（２）を差し込む。（２）は継ぎ目等の幅が狭い場所用でヘラを自由に移動できる。
水滴受けヘッド（３）の中央に排水ホース（７）を設ける。排水ホース（７）を中空の伸縮ポール（４）の中を通して先端に空気孔付きペットボトル用キャップ（８）を取り付ける。
本発明は、以上のような構造でこれを使用するときは、幅広水切りヘラ（１）で広い場所、移動式幅狭水切りヘラ（２）の方で継ぎ目のある狭い場所、また高い天井、壁も伸縮自在の伸縮ポール（４）を使用して排水ホース（７）に取り付けたペットボトルに流れて水滴が取れる。
【０００６】
【発明の効果】
水滴受けヘッドに幅広水切りヘラ及び左右に移動する移動式幅狭水切りヘラにより壁の継ぎ目の狭い場所の水滴も取れる。
伸縮ポールにより高い天井、壁も踏台が不要で排水ホースで直接流すため集めた水を何度も小さいボトルから捨てる手間が省ける。またペットボトルに集めた水は植木鉢の散水に利用できる。
キャップに空気孔を付けることにより水滴の流れがスムーズになる。
【図面の簡単な説明】
【図１】本発明の正面図である。
【符号の説明】
１    幅広水切りヘラ
２    移動式幅狭水切りヘラ
３    水滴受けヘッド
４    伸縮ポール
５    締め付けリング
６    把手
７    排水ホース
８    ペットボトル用キャップ
９    空気孔
【図１】
2004249044.tif 000003
(57)【要約】【課題】ゴルフスイング中に間違った使い方をしやすい体、腕、クラブヘッドを正しい使い方へ矯正するためにゴルフクラブのグリップを２本にしたゴルフ練習器具を提供する。【解決手段】ゴルフクラブのシャフトからグリップを２本にすることによってスイング中の体、腕、クラブヘッドの正しい使い方を簡単に把握できるようにする。【選択図】  図１
2004249049.tif 000002
【特許請求の範囲】
【請求項１】
グリップが２本になることでゴルフスイングの正しい体の使い方、腕の使い方、クラブヘッドの使い方を矯正できるゴルフ練習器具。
【発明の詳細な説明】
【０００１】
【発明の属する技術分野】
本発明はゴルフクラブのグリップ部を２本にすることで、体、腕、クラブヘッドの正しい使い方を習得できるというものにしたものである。
【０００２】
【従来の技術】
従来のゴルフクラブ及びゴルフ練習器具はグリップ部が１本のものしかなかった。
【０００３】
【発明が解決しようとする課題】
ゴルフスイング中、間違った動かし方をしやすい左肩、左手首。又、ほとんどの人が利き腕である右腕の手首が強く、右肘が開き、正しい動きの妨げになってしまうという難点があった。本発明はこの課題を解消するためになされたものである。
【０００４】
【課題を解決するための手段】
ゴルフクラブ本体１のシャフト３からグリップ４を２本にすることで左右の腕の使い方、体の使い方を矯正することができる。
【０００５】
【発明の実施の形態】
以下、本発明の実施の形態について説明する。
（イ）．ゴルフクラブ１のシャフト３から溶接により２本に分け、左右片手ずつで持つためのグリップ４を装着する。
（ロ）．シャフト３の素材は鉄パイプ状のものを使い、シャフト３を２本にする部分の溶接部を強くする。
【０００６】
【発明の効果】
グリップを２本にすることで左手首の角度がスイングプレーンの角度を維持し、右肘のたたみ方、締め方、右手首の曲げ方、左手甲の向きが理想的な形になる。その結果、捻転時に必要な左肩の入れ方が良くなり、正しいゴルフスイング身につく。
【図面の簡単な説明】
【図１】本発明の斜視図である。
【図２】本発明の断面図である。
【符号の説明】
１  ゴルフクラブ本体
２  クラブヘッド
３  シャフト
４  グリップ
５  溶接部分
【図１】
2004249049.tif 000003
【図２】
2004249049.tif 000004
(57)【要約】【課題】タオル収納ボックスの下から取出す口にパイプローラーをつけたタオル収納ボックスを提供する。【解決手段】収納ボックス（１）の下側に（２）の取出し開口部を設けパイプローラー中軸（５）と（６）を設けパイプローラー（３）と（４）を橋渡し、パイプローラー（３）と（４）がタオルを引き出す時回転することを特徴とする。【選択図】      図１
2004249048.tif 000002
【特許請求の範囲】
【請求項１】
収納ボックス（１）の下に取り出し開口部（２）を設けパイプローラー（３）と（４）を設けたタオル収納ボックスである。
【発明の詳細な説明】
【０００１】
【発明の属する技術分野】
この発明はタオル収納ボックスの下側に取り出し開口部にパイプローラーをつけたタオル収納ボックスに関するものである。
【０００２】
【従来の技術】
従来はタオルを引き出しの中棚の上ボックスの中又下から引き出す布製の小さくたたんで収納する物も有る。
【０００３】
【発明が解決しようとする課題】
これは次のような欠点があった。
（イ）  タオルを使用するときはいつも上から取り出すため下にあるタオルはあまり使用することが出来なかった。
（ロ）  使用するタオルはいつも同じ物が多い下のはほとんど使用せず不衛生になる原因になっていた。
（ハ）  小さくたたんだ布製のものは穴にひっかかってだしにくい本発明は、これらの欠点を除くためになされたものである。
【０００４】
【課題を解決するための手段】
ボックス（１）の下側に開口部（２）を設ける、そして開口部（２）の両側にパイプローラ中軸（５）と（６）を設ける。
パイプローラー（３）と（４）を開口部（２）のパイプローラー中軸（５）と（６）に橋渡す。
本発明は、以上の構成よりなるタオル収納ボックスである。
【０００５】
【発明の実施の形態】
以下、本発明の実施例について説明する。
（イ）収納ボックス（１）の下に長方形の開口部（２）の穴を開け中軸（５）と（６）を設けパイプローラー（３）と（４）を設ける。
（ロ）タオルをタオル取出し口（２）より引き出す時（３）と（４）のパイプローラーは中軸（５）と（６）に差し込まれている。
本発明は、以上の構成よりなっている。
本発明を使用するときは、棚の横又は壁に取り付けタオル引出し口（２）より引き出すときパイプローラ（３）と（４）が回転し一枚一枚自由に取出すことが出来る。タオルを下から取出すため全部のタオルがまんべんなく使用することが出来る。
【０００６】
【発明の効果】
タオルは下から簡単に取出すことが出来、新しい物は上に積み込むためいつも清潔なタオルを使用することが出来る。
【図面の簡単な説明】
【図１】本発明の斜視図である。
【図２】本発明の一部を切り欠いた底面図である。
【符号の説明】
１    タオル収納ボックス
２    タオル取出し口
３    パイプ回転ローラー
４    パイプ回転ローラー
５    パイプローラー中軸
６    パイプローラー中軸
７    折りたたんだタオル
【図１】
2004249048.tif 000003
【図２】
2004249048.tif 000004
(57)【要約】      （修正有）【課題】包丁、まな板を使用せずにゆで卵又はゆで野菜などのやわらかい素材をみじん切りができる調理器具を提供する。【解決手段】楕円形の上面に極細の適性素材を格子模様に張りめぐらせ、この面にゆで卵などを軽く押し付けながらこすることにより、簡単にみじん切りができる。楕円形の高さは約１ｃｍくらいにして、置いた場合安定感がある様にする。【選択図】図１
2004249083.tif 000002
【特許請求の範囲】
【請求項１】
本発明は、包丁を使用せずにゆで玉子又はゆで野菜などのやわらかい素材をみじん切りができる様にした調理器具です。楕円形の先端の部分は、小さいリングが付いており、壁のフックなどに掛けておくことができる。楕円形の高さは約１ｃｍくらいにして、置いた場合安定感がある様にし、内部分は極細の適性素材で格子模様にし、この面にゆで玉子などをかるく押し付けながらこすると、みじん切りができる様にした調理器具。
【発明の詳細な説明】
【０００１】
【発明の属する技術分野】
包丁を使用せずにゆで玉子、ゆで野菜などをみじん切りにすることが出来る。
【０００２】
【従来の技術】
包丁、まな板などが必要でした。
【０００３】
【発明が解決しようとする課題】
従来通りにみじん切りをする場合、包丁、まな板が必要で、使用するたびに出したり、かたづけたりと面倒でした。このゆで玉子みじん切り器を使用することによって、時間的、労働的負担が少なくなり、また収納も小型のため場所をとらず、壁のフックなどにも掛けておくことができる。
【０００４】
【課題を解決するための手段】
この発明は、楕円形の内側部分は、極細の適性素材で格子模様にし、この面にゆで玉子などをかるく押し付けてこする様にして使用する
【０００５】
【発明の実施の形態】
本発明は、楕円形の先端に小さいリングを付け、楕円形の外周の部分は、約１ｃｍの高さにし、内周部分は、格子模様に適性素材を張りこの面でみじん切りにすることができる。又、先端につけた小さいリングは壁のフックなどに掛けておくことができる様にしたのです
【０００６】
【実施例】
実施例について図面を参照にして説明すると、図１はゆで玉子みじん切り器です。１は楕円形の外周部の先端についているリングである。このリングは壁につけたフックなどに掛けておくことができる２はみじん切り器の平面図です。
【０００７】
【発明の効果】
この発明によって包丁もまな板もいらない、軽くて便利なみじん切り器ができます。子供から高齢者まで安全に使用することができる
【図面の簡単な説明】
【図１】ゆで玉子みじん切り器の平面図である
【図２】横面図である
【符号の説明】
１、リング
２、ゆで玉子みじん切り器
【図１】
2004249083.tif 000003
【図２】
2004249083.tif 000004
(57)【要約】【課題】ビル火災による死亡原因の主要因は逃げ遅れによるものが主である。最近の火災事例をみると、火災初期段階からの多量の煙の発生による混乱や建物の気密性の向上に起因する不完全燃焼により発生する一酸化炭素および有毒ガスの吸入による運動機能低下等が死亡要因の主原因である。また、煙による恐怖心や熱気を含んだ煙の吸入による呼吸困難などが精神的パニックを起こし、混乱を増長する。【解決手段】精神的パニックを抑制させるには、単純な装置、簡便な使用法で呼吸の安定を確保することである。呼吸の安定を確保するため、高濃度の酸素では火災を誘引する可能性があるため空気より酸素濃度を低くしたマスク付き簡易ボンベにより、清浄な空気を供給する。【特許請求の範囲】
【請求項１】
空気中の酸素濃度は０．１ＭＰａで２１ｖｏｌ％である。火災現場では火災による酸素濃度の減少、煙による呼吸障害、炭酸ガス濃度の増加や石油化学系建材から発生するシアン化水素ガス等の有毒ガスの発生による呼吸障害、一酸化ガス中毒による運動能力低下などの緊急避難対策用として、火災の誘引や発火を抑制する目的で支燃性ガスである酸素濃度を０．１ＭＰａで１５％から１９％と空気中の酸素濃度より低くなるように空気に窒素ガスを混合、ボンベに加圧充填し、連続噴射又は間欠噴射で使用する緊急用簡易型低酸素濃度空気圧縮ボンベのガス組成。
【発明の詳細な説明】
【発明の属する技術分野】
本発明は、有毒ガス、酸欠や火災時の緊急避難用空気呼吸器の酸素濃度に関する。
【従来の技術】
従来の避難用空気呼吸器は空気に酸素を混合し、酸素濃度を空気中の酸素濃度より高くしているもの、もしくは登山、スポーツ用の濃縮酸素として９５％酸素濃度を使用している。
【発明が解決しようとする課題】
従来の技術では空気に酸素を加え加圧圧縮しているか、空気を加圧圧縮している。火災時または酸欠時では雰囲気が低酸素濃度状態であり、しかも可燃性のガスが存在している可能性が高く、酸素の混入により爆発、発火および火災を誘引する危険度が増大する。
【課題を解決するための手段】
火災時または酸欠時では雰囲気が低酸素濃度状態であり、しかも可燃性のガスが存在している可能性が高く、酸素の混入により爆発、発火および火災を誘引する可能性を可能な限り低減化するため、酸素濃度を可能な限り低濃度とした緊急避難用低濃度空気呼吸器である。
【発明の実施の形態】
空気に窒素を１０％から３０％を混合し、ボンベに９ＭＰａから９．５ＭＰａとなるように加圧圧縮する。
【実施例】
噴射口ノズルに鼻と口が同時に覆うことが可能なマスクを取り付け、マスクを鼻と口に押し当て、マスクを押さえることにより、ボンベから加圧圧縮した低濃度酸素空気をマスク中に噴射させ呼吸困難状態の改善または有毒ガスによる中毒症状を遅延させることにより、避難時間の確保を図る。緊急事態の状況により、連続噴射または間欠噴射させ使用する。
【発明の効果】
中高層ビル、宿泊施設や地下街等の不特定多数を対象とした場合の緊急避難時については日常の訓練での対策は不可能であり、複雑な構造や煩雑な使用法では緊急時の対応が不可能である。緊急時に最も重要なことは、火災による熱、ばい煙、一酸化炭素、有毒ガスとの接触時の恐怖心や混乱、または酸欠による運動能力の低下時では可能な限り簡単な構造、単純な使用法とし、精神的混乱や錯乱を回避し、沈着冷静な判断が可能な状況を創造することが最も重要である。そのためには安定な呼吸の確保が必要十分条件である。火災や酸欠状況の緊急避難時に空気呼吸器が誘引する危険を最大限回避し、安定な呼吸の確保を目的とした緊急用簡易型低濃度酸素空気スプレーである。
【手続補正書】
【提出日】平成15年9月30日(2003.9.30)
【手続補正１】
【補正対象書類名】明細書
【補正対象項目名】請求項１
【補正方法】変更
【補正の内容】
【請求項１】
空気中の酸素濃度は０．１ＭＰａで２１ｖｏｌ％である。火災現場では火災による酸素
濃度の減少、煙による呼吸障害、炭酸ガス濃度の増加や石油化学系建材から発生するシア
ン化水素ガス等の有毒ガスの発生による呼吸障害、一酸化ガス中毒による運動能力低下な
どの緊急避難対策用として、および閉鎖系空間で酸欠の可能性のある現場での緊急避難対
策用として，火災の誘引や発火を抑制する目的で支燃性ガスである酸素濃度を０．１ＭＰ
ａで１５％から２０％と空気中の酸素濃度より低くなるように空気に窒素ガスを混合、ボ
ンベに加圧充填し、連続噴射又は間欠噴射で使用する緊急用簡易型低酸素濃度空気圧縮ボ
ンベのガス組成。
【手続補正書】
【提出日】平成15年10月31日(2003.10.31)
【手続補正１】
【補正対象書類名】明細書
【補正対象項目名】発明の詳細な説明
【補正方法】変更
【補正の内容】
【発明の詳細な説明】
【発明の属する技術分野】
本発明は、有毒ガス、酸欠や火災時の緊急避難用空気呼吸器の酸素濃度に関する。
【従来の技術】
従来の避難用空気呼吸器は空気に酸素を混合し、酸素濃度を空気中の酸素濃度より高くしているもの、もしくは登山、スポーツ用の濃縮酸素として９５％酸素濃度を使用している。
【発明が解決しようとする課題】
従来の技術では空気に酸素を加え加圧圧縮しているか、空気を加圧圧縮している。火災時または酸欠時では雰囲気が低酸素濃度状態であり、しかも可燃性のガスが存在している可能性が高く、酸素の混入により爆発、発火および火災を誘引する危険度が増大する。
【課題を解決するための手段】
火災時または酸欠時では雰囲気が低酸素濃度状態であり、しかも可燃性のガスが存在している可能性が高く、酸素の混入により爆発、発火および火災を誘引する可能性を可能な限り低減化するため、酸素濃度を可能な限り低濃度とした緊急避難用低濃度空気呼吸器である。
【発明の実施の形態】
空気に窒素を１０％から３０％を混合し、ボンベに０．９ＭＰａから０．９５ＭＰａとなるように加圧圧縮する。
【実施例】
噴射口ノズルに鼻と口が同時に覆うことが可能なマスクを取り付け、マスクを鼻と口に押し当て、マスクを押さえることにより、ボンベから加圧圧縮した低濃度酸素空気をマスク中に噴射させ呼吸困難状態の改善または有毒ガスによる中毒症状を遅延させることにより、避難時間の確保を図る。緊急事態の状況により、連続噴射または間欠噴射させ使用する。
【発明の効果】
中高層ビル、宿泊施設や地下街等の不特定多数を対象とした場合の緊急避難時については日常の訓練での対策は不可能であり、複雑な構造や煩雑な使用法では緊急時の対応が不可能である。緊急時に最も重要なことは、火災による熱、ばい煙、一酸化炭素、有毒ガスとの接触時の恐怖心や混乱、または酸欠による運動能力の低下時では可能な限り簡単な構造、単純な使用法とし、精神的混乱や錯乱を回避し、沈着冷静な判断が可能な状況を創造することが最も重要である。そのためには安定な呼吸の確保が必要十分条件である。火災や酸欠状況の緊急避難時に空気呼吸器が誘引する危険を最大限回避し、安定な呼吸の確保を目的とした緊急用簡易型低濃度酸素空気スプレーである。